(57)【要約】【課題】様々なケラバ本体の形状に対応できるうえに、取付作業を効率化することが可能なケラバ化粧部材を提供する。【解決手段】建物１の屋根１１の端部に形成されるケラバ本体２を覆うケラバ化粧部材３である。  そして、ケラバ本体の上部を覆う上カバー部４と、ケラバ本体の下部を覆う下カバー部５と、上カバー部の下縁に形成されるケラバ本体側に向けて張り出される端部に重ね片部４１１を有する引込み部４１と、下カバー部の上縁に形成される重ね片部よりもケラバ本体側に配置される壁状の接続壁部５１と、重ね片部と接続壁部とを接合させる締結材３１とを備えている。【選択図】図１
2015224453.tif 000002
【特許請求の範囲】
【請求項１】
建物の屋根の端部に形成されるケラバ本体を覆うケラバ化粧部材であって、
前記ケラバ本体の上部を覆う上カバー部と、
前記ケラバ本体の下部を覆う下カバー部と、
前記上カバー部の下縁に形成される前記ケラバ本体側に向けて張り出される端部に重ね片部を有する引込み部と、
前記下カバー部の上縁に形成される前記重ね片部よりも前記ケラバ本体側に配置される壁状の接続壁部と、
前記重ね片部と前記接続壁部とを接合させる締結材とを備えたことを特徴とするケラバ化粧部材。
【請求項２】
前記接続壁部には、前記重ね片部を収容可能な幅に形成された溝部が設けられることを特徴とする請求項１に記載のケラバ化粧部材。
【請求項３】
前記下カバー部の下面側に接続されるとともに、前記建物の外壁に向けて張り出される下面カバー部を備えたことを特徴とする請求項１又は２に記載のケラバ化粧部材。
【請求項４】
前記下面カバー部の前記外壁に向けて張り出される上面には、前記建物の内外方向に間隔を置いて複数の返し突起部が設けられることを特徴とする請求項３に記載のケラバ化粧部材。
【請求項５】
請求項１乃至４のいずれか一項に記載のケラバ化粧部材の取り付け方法であって、
前記引込み部の重ね片部と前記接続壁部とを前記締結材で接合することによって前記上カバー部と前記下カバー部とを接続する工程と、
前記重ね片部より下方に露出する前記接続壁部を貫通させて前記ケラバ本体に定着される締結材を打ち込む工程とを備えたことを特徴とするケラバ化粧部材の取り付け方法。
【請求項６】
請求項４に記載のケラバ化粧部材の取り付け方法であって、
前記返し突起部のいずれかの位置で前記下面カバー部を切断する工程と、
前記引込み部の重ね片部と前記接続壁部とを前記締結材で接合することによって前記上カバー部と前記下カバー部とを接続するとともに、前記下カバー部に前記下面カバー部を接続する工程と、
前記返し突起部を前記建物側の止水材に接触させた状態で、前記重ね片部より下方に露出する前記接続壁部を貫通させて前記ケラバ本体に定着される締結材を打ち込む工程とを備えたことを特徴とするケラバ化粧部材の取り付け方法。
【発明の詳細な説明】
【技術分野】
【０００１】
本発明は、建物の屋根の端部に形成されるケラバ本体を覆うケラバ化粧部材及びその取り付け方法に関するものである。
【背景技術】
【０００２】
切妻屋根や片流れ屋根の端部に形成されるケラバは、通常、構造部となるケラバ本体と、それを覆うケラバ化粧部材とによって構成される（特許文献１−４など参照）。
【０００３】
特許文献１には、ケラバ本体の上部を覆う破風板本体と下部を覆う調整部材との２つの部材を重ね合わせて構成される破風板が開示されている。この特許文献１では、上部の破風板本体のスリット状開口に下部の調整部材が挿し込める構成となっており、破風板の高さを任意に調整できるようになっている。
【０００４】
また、特許文献２にも、上部装飾体と下部装飾体とによって構成される屋根切妻側装飾体が開示されている。ここでは、上部装飾体の下縁と下部装飾体の上縁とを重ねてビスで接合した後に、屋根の妻側端部分に取り付けが行われる。
【０００５】
一方、特許文献３，４には、一体に成形された破風化粧板によって屋根端部を覆う構造が開示されている。また、特許文献３には、建物側に取り付けられる補助部材の上に化粧板本体の連結部を上から重ねる構成とすることで、外壁の厚みの違いに対応できるようにした破風化粧板の取付構造が開示されている。
【先行技術文献】
【特許文献】
【０００６】
【特許文献１】特許第４１０９６７８号公報
【特許文献２】特許第３８５４４４３号公報
【特許文献３】特許第５３１９２０２号公報
【特許文献４】特開２０１０−１６８８８３号公報
【発明の概要】
【発明が解決しようとする課題】
【０００７】
しかしながら、特許文献１に開示されている破風板では、破風板本体及び調整部材のそれぞれを建物側に取り付けなければならず、取付作業に手間がかかる。特に、ケラバは高い屋根の端部にあるため、取り付けは危険を伴う高所作業になることから、可能な限り簡単に取り付けられる構成が望まれる。
【０００８】
一方、特許文献２−４に開示されている屋根切妻側装飾体等は、一度に屋根端部に取り付けられるが、屋根側端部の形状に合わせた部材をそれぞれ用意しなければならず、様々な屋根の形状があるリフォームなどに使用するためには、部品の種類が多くなりすぎて製作コストが高くなる。
【０００９】
そこで、本発明は、様々なケラバ本体の形状に対応できるうえに、取付作業を効率化することが可能なケラバ化粧部材、及びケラバ化粧部材の取り付け方法を提供することを目的としている。
【課題を解決するための手段】
【００１０】
前記目的を達成するために、本発明のケラバ化粧部材は、建物の屋根の端部に形成されるケラバ本体を覆うケラバ化粧部材であって、前記ケラバ本体の上部を覆う上カバー部と、前記ケラバ本体の下部を覆う下カバー部と、前記上カバー部の下縁に形成される前記ケラバ本体側に向けて張り出される端部に重ね片部を有する引込み部と、前記下カバー部の上縁に形成される前記重ね片部よりも前記ケラバ本体側に配置される壁状の接続壁部と、前記重ね片部と前記接続壁部とを接合させる締結材とを備えたことを特徴とする。
【００１１】
ここで、前記接続壁部には、前記重ね片部を収容可能な幅に形成された溝部が設けられる構成とすることができる。また、前記下カバー部の下面側に接続されるとともに、前記建物の外壁に向けて張り出される下面カバー部を備えた構成とすることもできる。
【００１２】
さらに、前記下面カバー部の前記外壁に向けて張り出される上面には、前記建物の内外方向に間隔を置いて複数の返し突起部が設けられる構成とすることができる。
【００１３】
また、本発明のケラバ化粧部材の取り付け方法は、上記いずれかに記載のケラバ化粧部材の取り付け方法であって、前記引込み部の重ね片部と前記接続壁部とを前記締結材で接合することによって前記上カバー部と前記下カバー部とを接続する工程と、前記重ね片部より下方に露出する前記接続壁部を貫通させて前記ケラバ本体に定着される締結材を打ち込む工程とを備えたことを特徴とする。
【００１４】
また、前記返し突起部のいずれかの位置で前記下面カバー部を切断する工程と、前記引込み部の重ね片部と前記接続壁部とを前記締結材で接合することによって前記上カバー部と前記下カバー部とを接続するとともに、前記下カバー部に前記下面カバー部を接続する工程と、前記返し突起部を前記建物側の止水材に接触させた状態で、前記重ね片部より下方に露出する前記接続壁部を貫通させて前記ケラバ本体に定着される締結材を打ち込む工程とを備えた構成とすることもできる。
【発明の効果】
【００１５】
このように構成された本発明のケラバ化粧部材及びその取り付け方法は、上カバー部と下カバー部とを上下に接続させる際に、上カバー部の引込み部の重ね片部と下カバー部の接続壁部とを接合させる。
【００１６】
このため、重ね片部を接続壁部の範囲内で移動させることで、様々なケラバ本体の形状に対応させることができる。また、上カバー部と下カバー部とを接続した後にケラバ本体へ取り付けられるので、取付作業を効率化することができる。
【００１７】
さらに、接続壁部に重ね片部を収容可能な溝部を設けておくことで、重ね片部と接続壁部との接合作業が容易に行えるようになる。また、建物の外壁に向けて張り出される下面カバー部を備えていれば、下カバー部と外壁との間が広い場合にも外観をよくすることができる。
【００１８】
そして、下面カバー部の上面に複数の返し突起部が設けられていれば、建物側の止水材の位置が異なる場合にも対応させることができる。また、下面カバー部の不要となる部分を切断することで様々な間隔に対応できるので、部品の種類を最小限に抑えて製作コストの低減を図ることができる。
【図面の簡単な説明】
【００１９】
【図１】本実施の形態のケラバ化粧部材が取り付けられたケラバの構成を示した断面図である。
【図２】本実施の形態のケラバ化粧部材の取り付け方法を示した説明図である。
【図３】実施例１のケラバ化粧部材が取り付けられたケラバの構成を示した断面図である。
【図４】実施例２のケラバ化粧部材が取り付けられたケラバの構成を示した断面図である。
【図５】実施例３のケラバ化粧部材が取り付けられたケラバの構成を示した断面図である。
【発明を実施するための形態】
【００２０】
以下、本発明の実施の形態について図面を参照して説明する。図１は、本実施の形態のケラバ化粧部材３が取り付けられたケラバの構成を示した断面図である。
【００２１】
このようなケラバは、切妻屋根、寄棟屋根、片流れ屋根、陸屋根などの建物１の屋根１１の端部に形成される。ここで、屋根１１は、天井梁や屋根梁などの梁材１３の上に載置される垂木１４と、その垂木１４の上に設置される野地板１１１と、野地板１１１の上に敷設されるルーフィング材１１２と、その上に並べられる瓦材１１３とによって主に構成される。
【００２２】
そして、この屋根１１の端部に形成されるケラバは、ケラバ本体２と、それを覆うケラバ化粧部材３とによって主に構成される。
【００２３】
ケラバ本体２は、図２に示すように、野地板１１１の縁部と、その上に設置されて屋根１１の表面から上方に突出する下地木桟２１とによって主に構成される。この下地木桟２１は、長尺状の角材によって形成されており、ドリルネジ２３によって野地板１１１の縁部に固定される。
【００２４】
また、下地木桟２１の上面には、上端水切り材２２の載置部２２１が固定される。この上端水切り材２２は、図１に示すように屋根１１の内側に庇状に張り出しており、下地木桟２１と瓦材１１３との隙間が覆われた状態になる。
【００２５】
一方、野地板１１１の下方には、垂木１４及び梁材１３に隣接して外壁１２が配置される。そして、図２に示すように、外壁１２の上端と垂木１４の側面は、連続して止水シート１２１で覆われる。
【００２６】
また、外壁１２の上部には、水切り材７が取り付けられる。この水切り材７の上部には垂木１４の側面に沿わせるための上縁部７１が形成され、下部には建物１の外側に向けて略水平に張り出される下縁部７２が形成される。
【００２７】
さらに、下縁部７２の下面には止水材としてのシーリング材７３Ａが貼り付けられ、外壁１２の上端に設置される部分の下面にはシーリング材７３Ｂが貼り付けられる。これらのシーリング材７３Ａ，７３Ｂには、ブチルテープなどが使用できる。
【００２８】
この水切り材７は、上縁部７１を垂木１４の側面に沿わせてシーリング材７３Ｂを外壁１２の上端に載せた状態で、接合ビス７４によって垂木１４に固定される。
【００２９】
本実施の形態のケラバ化粧部材３は、ケラバ本体２の上部を覆う上カバー部４と、ケラバ本体２の下部を覆う下カバー部５と、下カバー部５の下面側に接続される下面カバー部６とによって主に構成される。
【００３０】
ここで、上カバー部４、下カバー部５及び下面カバー部６は、それぞれアルミ材などの金属板を折り曲げ加工するなどして製作することができる。
【００３１】
上カバー部４には、図１，２に示すように、下地木桟２１の上方を覆う上面部４２と、上面部４２の外側縁から下方に向けて延びる側面部４３と、側面部４３の下縁に形成される引込み部４１とによって主に構成される。
【００３２】
上面部４２は、下地木桟２１の上に載せられた上端水切り材２２の載置部２２１の上に設置され、接合ビス３２などの締結材によって下地木桟２１に固定される。
【００３３】
一方、側面部４３は、上面部４２から曲面を経て垂下しており、下地木桟２１の半分以上を覆っている。また、引込み部４１との分岐位置を越えた下方にまで側面部４３は延びている。
【００３４】
そして、引込み部４１は、側面部４３の下端より少し上方から下り勾配でケラバ本体２方向（内側）に向けて張り出される部分である。この引込み部４１のケラバ本体２側の端部には、重ね片部４１１が設けられる。
【００３５】
この重ね片部４１１は、鉛直上向きに形成される。重ね片部４１１は、図２に示すように、後述する接続壁部５１の密着させる面と略平行となるように形成される。
【００３６】
下カバー部５は、図１，２に示すように、下地木桟２１の側面に固定させる接続壁部５１と、接続壁部５１の下縁から建物１の外側に向けて突出された側面を形成する側面部５２と、下カバー部５の下面を形成する下面部５５と、下面部５５の内側の端縁から上方に向けて立ち上げられる立上部５３と、立上部５３の上縁から内側（外壁１２側）に向けて張り出される庇状部５４とによって主に構成される。
【００３７】
下カバー部５の上縁に形成される壁状の接続壁部５１は、重ね片部４１１よりもケラバ本体２側に配置される。接続壁部５１は、上部が上カバー部４の内側に収容されるとともに、下部は上カバー部４の下方に露出可能な高さに形成される。
【００３８】
また、接続壁部５１の外側（ケラバ本体２側の反対側）の面には、溝部５１１が形成される。この溝部５１１は、接続壁部５１の高さ方向の略中央に重ね片部４１１を収容可能な幅（高さ）に形成される。
【００３９】
そして、溝部５１１に収容されて密着させた重ね片部４１１は、ビス又はリベットなどの締結材３１によって接続壁部５１に接合される。これによって上カバー部４と下カバー部５とが接続されたことになる。
【００４０】
さらに、溝部５１１の上方には、溝部としての上溝部５１２が形成される。この上溝部５１２も、重ね片部４１１を収容可能な幅（高さ）に形成される。一方、溝部５１１の下方には、建物１の外側から見て露出した状態となる露出部５１３が形成される。
【００４１】
この露出部５１３は、下地木桟２１の側面に略平行となるように成形される部分であり、図２に示すように、接合ビス３２などの締結材によって下地木桟２１に固定される。
【００４２】
また、側面部５２は、野地板１１１の端面から外壁１２の上端部までを覆う大きさに成形される。さらに、下面部５５は、側面部５２の下縁から内側（外壁１２側）に向けて略水平に張り出される部分である。
【００４３】
そして、下面部５５に対して略直角となるように立上部５３が形成される。さらに、立上部５３に対して略直角となるように、略水平な庇状部５４が形成される。この庇状部５４の内側の端部には、上方に向けて突出される鉤状の返し部５４１が設けられる。
【００４４】
下面カバー部６は、図１，２に示すように、下カバー部５に接合させる取付片部６１と、取付片部６１の下縁から建物１の外側に向けて突出された側面を形成する側面部６６と、下面を形成する下面部６７と、下面部６７の内側の端縁から上方に向けて立ち上げられる立上部６２と、立上部６２の上縁から外壁１２に向けて張り出される庇状部６８と、庇状部６８の上面に設けられる返し突起部としての外側返し部６３とによって主に構成される。
【００４５】
この外側返し部６３は、図１に示すように、庇状部６８の上面から上方に向けて突出された鉤状に形成されており、先端を建物１側のシーリング材７３Ａに接触させる。
【００４６】
次に、本実施の形態のケラバ化粧部材３の取り付け方法について説明する。以下では、建物１の屋根１１のリフォームを行う場合について、図２を参照しながら説明する。
【００４７】
このリフォームでは、瓦などの屋根材の交換、及びケラバの改修を行う。なお、屋根材を交換せずにケラバのみの改修とすることもできる。まず、既存の屋根材を取り除き、野地板１１１の上に敷設されたルーフィング材１１２上に、新しい瓦材１１３を並べていく。
【００４８】
また、野地板１１１の縁部上には下地木桟２１をドリルネジ２３で固定し、下地木桟２１の上端面には上端水切り材２２の載置部２２１を載せる。この上端水切り材２２とルーフィング材１１２との離隔は、それらの間に端部を介在させる瓦材１１３の厚さによって調整することができる。
【００４９】
この瓦材１１３は厚みが大きいので、ルーフィング材１１２とその上に張り出された上端水切り材２２との離隔が広くなるように設定される。一方、野地板１１１の下方では、外壁１２の上端面と垂木１４の側面との間を、ブチルゴムなどの止水シート１２１で塞ぐ。
【００５０】
そして、その止水シート１２１の上に水切り材７のシーリング材７３Ｂを載せ、上縁部７１を垂木１４の側面に貼り付けられた止水シート１２１に密着させて、接合ビス７４を上縁部７１に打ち込む。このようにして、水切り材７を垂木１４に固定することができる。
【００５１】
一方、長尺状の上カバー部４、下カバー部５及び下面カバー部６は、アルミ板によって予め工場で製作される。この上カバー部４や下カバー部５や下面カバー部６のように、断面がそれほど大きくならない部材であれば、長尺部材となっても比較的容易に精度よく製作することができる。
【００５２】
そして、上カバー部４の重ね片部４１１を下カバー部５の溝部５１１に収容して、重ね片部４１１の建物１側の面（内側面）を接続壁部５１の建物１側とは反対側の面（外側面）に密着させる。
【００５３】
また、密着させた重ね片部４１１と接続壁部５１とを、接続壁部５１側から打ち込まれた締結材３１によって接合させる。ここで、重ね片部４１１を突き抜けた締結材３１の先端は、上カバー部４の内側に突出するだけなので、外部に露出することがなく、外観を損なうことがない。
【００５４】
さらに、上カバー部４で囲まれた雨水が浸入してこない箇所に突出するため、防水性を損ねることもない。このようにして上カバー部４と下カバー部５とが接続される。
【００５５】
また、下カバー部５の立上部５３の内側面に、下面カバー部６の取付片部６１の外側面を接触させる。そして、重ねられた立上部５３と取付片部６１とを、取付片部６１側から打ち込まれた締結材３１によって接合させる。
【００５６】
この立上部５３を突き抜けた締結材３１の先端は、下カバー部５の内側に突出するだけなので、外部に露出することがなく、外観を損なうことがない。さらに、下カバー部５で囲まれた雨水が浸入してこない箇所に突出するため、防水性を損ねることもない。このようにして下カバー部５と下面カバー部６とが接続される。
【００５７】
以上のようにして上カバー部４と下カバー部５と下面カバー部６とが接続されたケラバ化粧部材３が、組み上げられる。そして、ケラバ化粧部材３は、工場からリフォーム現場まで搬送される。
【００５８】
リフォーム現場では、ケラバ化粧部材３をクレーンで吊り上げてケラバ本体２上に設置する。詳細には、ケラバ化粧部材３の上面部４２を下地木桟２１上の載置部２２１の上に重ねて、接合ビス３２をねじ込む。また、下地木桟２１の側面に重ねた接続壁部５１の露出部５１３にも、接合ビス３２をねじ込む。
【００５９】
このようにして、ケラバ化粧部材３がケラバ本体２に固定される。また、この取付状態では、図１に示すように外側返し部６３の先端は水切り材７のシーリング材７３Ａに密着されている。
【００６０】
次に、本実施の形態のケラバ化粧部材３、及びケラバ化粧部材３の取り付け方法の作用について説明する。
【００６１】
このように構成された本実施の形態のケラバ化粧部材３及びその取り付け方法は、上カバー部４と下カバー部５とを上下に接続させる際に、上カバー部４の引込み部４１の重ね片部４１１と下カバー部５の接続壁部５１とを接合させる。
【００６２】
このため、重ね片部４１１を接続壁部５１の範囲内で移動させることで、様々なケラバ本体２の形状に対応させることができる。例えば、本実施の形態では、重ね片部４１１を接続壁部５１の中央の溝部５１１に接合させたが、ケラバ本体の高さが高い場合は、上カバー部４を上方にスライドさせて、上溝部５１２に重ね片部４１１を収容して接合を行うことができる。
【００６３】
また、接続壁部５１に重ね片部４１１を収容可能な溝部５１１を設けておけば、溝部５１１に収容させた重ね片部４１１を溝部５１１の壁によって仮支持させることができる。このため、重ね片部４１１と接続壁部５１との接合作業が容易に行えるようになる。
【００６４】
さらに、上カバー部４と下カバー部５と下面カバー部６とを接続した後にケラバ本体２へ取り付けられるので、取付作業を効率化することができる。すなわち、上カバー部４や下カバー部５を別々に取り付ける場合に比べて、高所での取付作業を短くすることができる。
【００６５】
また、建物１の外壁１２に向けて張り出される下面カバー部６を備えていれば、下カバー部５から水切り材７が突出してしまうような場合にも、それを覆い隠して外観をよくすることができる。
【実施例１】
【００６６】
以下、前記した実施の形態とは別の形態の実施例１について、図３を参照しながら説明する。なお、前記実施の形態で説明した内容と同一乃至均等な部分の説明については、同一用語又は同一符号を付して説明する。
【００６７】
本実施例１で説明するケラバ化粧部材３Ａは、前記実施の形態で説明した屋根１１とは異なる構造の屋根１１Ａに取り付けられる。この屋根１１Ａは、外壁１２からの張り出し量が大きい、換言すると庇が長い構造となっている。
【００６８】
また、屋根１１Ａには、前記実施の形態で説明した瓦材１１３よりも薄い瓦材１１４が並べられる。このため、ルーフィング材１１２と上端水切り材２２Ａとの離隔は、前記実施の形態で説明した離隔よりも小さくなる。
【００６９】
そして、この屋根１１Ａの端縁に設けられるケラバ本体８は、軒先側に鉛直に立ち上げられる側面部８１と、ルーフィング材１１２上に設置される底面部８２と、底面部８２の端縁から鉛直に立ち上げられる本体部８６と、本体部８６の上縁から略水平に張り出される上面部８３とによって形成される外殻状部材８０を有している。
【００７０】
この外殻状部材８０は、鋼板を折り曲げ加工することによって成形することができる。例えば底面部８２の両側を直角に折り曲げて側面部８１と本体部８６とを形成し、本体部８６の上部を直角に折り曲げて上面部８３を形成する。
【００７１】
この外殻状部材８０は、底面部８２に貫通させたドリルネジ１５によって野地板１１１に固定される。一方、野地板１１１の縁部の下面側には、ケラバ本体８として、角材などの軒先桟８４がドリルネジ１５によって固定される。
【００７２】
また、軒先桟８４と外壁１２との間には、ケラバ本体８として、角材などの垂下木桟８５がドリルネジ１５によって固定される。さらに、垂下木桟８５の外壁１２側の下面には、垂下片８５１がドリルネジ８５２によって取り付けられる。
【００７３】
そして、本実施例１のケラバ化粧部材３Ａの上カバー部４Ａは、外殻状部材８０の上面部８３の形状に合わせて上面部４２Ａの幅が狭くなるとともに、上面部４２Ａから側面部４３Ａに遷移する角部の傾斜面が広くなっている。
【００７４】
一方、下面カバー部６Ａの庇状部６８Ａは、外壁１２までの間隔が広がったのに対応して、長く張り出されることになる。また、庇状部６８Ａの上面には、建物１の内外方向に間隔を置いて複数の返し突起部が設けられる。ここで、複数の返し突起部を、軒先側から外側返し部６３、中間返し部６４、内側返し部６５とする。
【００７５】
このように構成された上カバー部４Ａと下カバー部５と下面カバー部６Ａとが接続されたケラバ化粧部材３Ａが、締結材としての接合ビス３３，３３によってケラバ本体８に固定される。
【００７６】
詳細には、ケラバ化粧部材３Ａの上面部４２Ａを上面部８３上の載置部２２１の上に重ねて、接合ビス３３をねじ込む。また、外殻状部材８０の側面部８１に隣接させた接続壁部５１の露出部５１３にも、接合ビス３３をねじ込む。
【００７７】
この取付状態では、外側返し部６３は使用されず、中間返し部６４の上片が垂下片８５１の下片に引っ掛けられる。また、内側返し部６５の先端が、水切り材７のシーリング材７３Ａに密着される。
【００７８】
このように下面カバー部６Ａの庇状部６８Ａの上面に複数の返し突起部（６３，６４，６５）が設けられていれば、建物１側のシーリング材７３Ａの位置が異なる場合にも対応させることができる。
【００７９】
また、庇状部６８Ａが長くなっても、中間返し部６４を垂下片８５１に引っ掛けて支持させることで、下面カバー部６Ａを安定させることができる。さらに、下カバー部５と外壁１２との広い間隙も、幅広の下面カバー部６Ａで覆うことで外観をよくすることができる。
【００８０】
なお、他の構成及び作用効果については、前記実施の形態又は他の実施例と略同様であるので説明を省略する。
【実施例２】
【００８１】
以下、前記した実施の形態及び実施例１とは別の形態の実施例２について、図４を参照しながら説明する。なお、前記実施の形態又は実施例１で説明した内容と同一乃至均等な部分の説明については、同一用語又は同一符号を付して説明する。
【００８２】
本実施例２で説明するケラバ化粧部材３Ｂは、下面カバー部６Ｂの状態が前記実施例１で説明した下面カバー部６Ａの状態と異なっている。実施例２の屋根１１Ｂは、外壁１２からの張り出し量が小さい、換言すると庇が短い構造となっている。
【００８３】
詳細には、この屋根１１Ｂには、実施例１で説明した屋根１１Ａにあるような軒先桟８４と外壁１２との間の垂下木桟８５が設けられていない。要するに、軒先桟８４と外壁１２との間隔が狭くなっている。
【００８４】
このため、実施例１で説明した下面カバー部６Ａをそのまま使用することができない。そこで、下面カバー部６Ａの庇状部６８Ａを外側返し部６３の位置で切断してカット部６０を取り除いた下面カバー部６Ｂを使用する。
【００８５】
このように下カバー部５と外壁１２の間隙の広さに合わせて、下面カバー部６Ａの不要となる部分を切断することで、様々な間隙に対応させることができる。
【００８６】
要するに、不要な部分を切断するだけで下面カバー部６Ａを下面カバー部６Ｂにすることができるので、屋根の形態ごとに下面カバー部を製作する必要がなく、部品の種類を最小限に抑えて製作コストを低減することができる。
【００８７】
なお、他の構成及び作用効果については、前記実施の形態又は他の実施例と略同様であるので説明を省略する。
【実施例３】
【００８８】
以下、前記した実施の形態及び実施例１，２とは別の形態の実施例３について、図５を参照しながら説明する。なお、前記実施の形態又は実施例１，２で説明した内容と同一乃至均等な部分の説明については、同一用語又は同一符号を付して説明する。
【００８９】
本実施例３で説明するケラバ化粧部材３Ｃは、上カバー部４Ａと下カバー部５だけで構成されており、下面カバー部を備えていない。要するに実施例３の屋根１１Ｃは、外壁１２の上端に取り付けられる水切り材７Ｃが実施例２で説明した水切り材７よりも短く、下カバー部５内に収容することができる。
【００９０】
そこで、下カバー部５の返し部５４１の先端を、水切り材７Ｃのシーリング材７３Ａに密着させる。このように下カバー部５によって、建物１との間の止水性能が確保でき、下カバー部５と外壁１２との間隙も覆うことができるのであれば、下面カバー部を省略してコストを削減することができる。
【００９１】
なお、他の構成及び作用効果については、前記実施の形態又は他の実施例と略同様であるので説明を省略する。
【００９２】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００９３】
例えば、前記実施の形態では、工場においてケラバ化粧部材３を組み立てる場合について説明したが、これに限定されるものではなく、リフォーム現場に上カバー部４、下カバー部５及び下面カバー部６をそれぞれ搬送して、これらを現場において接合することでケラバ化粧部材３に組み立てることもできる。
【符号の説明】
【００９４】
１              建物
１１，１１Ａ−１１Ｃ  屋根
１２            外壁
２              ケラバ本体
３，３Ａ−３Ｃ  ケラバ化粧部材
３１            締結材
３２            接合ビス（締結材）
３３            接合ビス（締結材）
４，４Ａ        上カバー部
４１            引込み部
４１１          重ね片部
５              下カバー部
５１            接続壁部
５１１          溝部
５１２          上溝部（溝部）
５１３          露出部
５５            下面部（下面）
６，６Ａ，６Ｂ  下面カバー部
６３            外側返し部（返し突起部）
６４            中間返し部（返し突起部）
６５            内側返し部（返し突起部）
６８，６８Ａ    庇状部（上面）
７３Ａ          シーリング材（止水材）
８              ケラバ本体
【図１】
2015224453.tif 000003
【図２】
2015224453.tif 000004
【図３】
2015224453.tif 000005
【図４】
2015224453.tif 000006
【図５】
2015224453.tif 000007